(57)【要約】【課題】  液晶モニタに表示される画像が撮影者の意図しない動作により縮小されることなく、撮影者にとって使いやすいカメラを提供する。【解決手段】  撮像手段１６は被写体を撮像する。画面１０は、撮像手段１６により撮像された画像を表示する。接触検出手段１２は、画面１０上に配置され、画面１０に接触する撮影者の手の位置を検出する。時間検出手段２４は、接触検出手段１２による検出を受けて画面１０に手が接触している時間である接触時間を検出する。表示制御手段２４は、接触時間が所定の時間以下である時、画面１０全体に画像をフル画像として表示し、接触時間が所定の時間を超える時、画面１０の内、手が接触している位置を除く位置に、フル画像を縮小した縮小画像を表示する。【選択図】      図１
2006311209.tif 000002
【特許請求の範囲】
【請求項１】
被写体を撮像する撮像手段と、
前記撮像手段により撮像された画像を表示する画面と、
前記画面上に配置され、前記画面に接触する撮影者の手の位置を検出する接触検出手段と、
前記接触検出手段による検出を受けて前記画面に手が接触している時間である接触時間を検出する時間検出手段と、
前記接触時間が所定の時間以下である時、前記画面全体に前記画像をフル画像として表示し、前記接触時間が所定の時間を超える時、前記画面の内、手が接触している位置を除く位置に、前記フル画像を縮小した縮小画像を表示する表示制御手段とを備えることを特徴とするカメラ。
【請求項２】
請求項１記載のカメラにおいて、
外部から入力される任意の時間を記憶する時間記憶手段を備え、
前記表示制御手段は、前記接触時間が前記時間記憶手段により記憶された時間以下である時、前記画面に前記フル画像を表示し、前記接触時間が前記時間記憶手段により記憶された時間を超える時、前記フル画像を前記縮小画像に切り替えて前記画面に表示することを特徴とするカメラ。
【請求項３】
請求項１記載のカメラにおいて、
前記接触時間が検出される時期を、「撮像時」、「再生時」及び「撮像時と再生時の両方」のいずれかから選択する第１時期選択手段を備え、
前記時間検出手段は、「撮像時」が選択されている場合、被写体を撮像する時のみに前記時間検出手段を有効にし、「再生時」が選択されている場合、撮像した画像を前記画面に再生する時のみに前記時間検出手段を有効にし、「撮像時と再生時の両方」が選択されている場合、撮像時と再生時の両方で前記時間検出手段を有効にし、
前記表示制御手段は、前記時間検出手段の無効時に前記画面に前記フル画像を表示することを特徴とするカメラ。
【請求項４】
被写体を撮像する撮像手段と、
前記撮像手段により撮像された画像を表示する画面と、
前記画面上に配置され、前記画面に接触する撮影者の手の位置を検出する接触検出手段と、
前記接触検出手段による検出を受けて前記画面に手が接触している面積である接触面積を検出する面積検出手段と、
前記接触面積が所定の面積以下である時、前記画面全体に前記画像をフル画像として表示し、前記接触面積が所定の面積を超える時、前記画面の内、手が接触している位置を除く位置に、前記フル画像を縮小した縮小画像を表示する表示制御手段とを備えることを特徴とするカメラ。
【請求項５】
請求項４記載のカメラにおいて、
外部から入力される任意の面積を記憶する面積記憶手段を備え、
前記表示制御手段は、前記接触面積が前記面積記憶手段により記憶された面積以下である時、前記画面にフル画像を表示し、前記接触面積が前記面積記憶手段により記憶された面積を超える時、前記フル画像を前記縮小画像に切り替えて前記画面に表示することを特徴とするカメラ。
【請求項６】
請求項４記載のカメラにおいて、
前記接触面積が検出される時期を、「撮像時」、「再生時」及び「撮像時と再生時の両方」のいずれかから選択する第２時期選択手段を備え、
前記面積検出手段は、「撮像時」が選択されている場合、被写体を撮像する時のみに前記面積検出手段を有効にし、「再生時」が選択されている場合、撮像した画像を前記画面に再生する時のみに前記面積検出手段を有効にし、「撮像時と再生時の両方」が選択されている場合、撮像時と再生時の両方で前記面積検出手段を有効にし、
前記表示制御手段は、前記面積検出手段の無効時に前記画面に前記フル画像を表示することを特徴とするカメラ。
【請求項７】
被写体を撮像する撮像手段と、
前記撮像手段により撮像された画像を表示する画面と、
前記画面上に配置され、前記画面に接触する撮影者の手の位置を検出する接触検出手段と、
前記接触検出手段による検出を受けて、撮影者の手による前記画面の接触回数を検出する回数検出手段と、
前記接触回数が予め設定された第１回数以下である時、前記画面全体に前記画像をフル画像として表示し、前記接触回数が第１回数を超える時、前記画面の内、手が接触している位置を除く位置に、前記フル画像を縮小した縮小画像を表示する表示制御手段とを備えることを特徴とするカメラ。
【請求項８】
請求項７記載のカメラにおいて、
外部から入力される任意の回数を前記第１回数として記憶する回数記憶手段を備え、
前記表示制御手段は、前記接触回数が前記回数記憶手段により記憶された回数以下である時、前記画面にフル画像を表示し、前記接触回数が前記回数記憶手段により記憶された回数を超える時、前記フル画像を前記縮小画像に切り替えて前記画面に表示することを特徴とするカメラ。
【請求項９】
請求項７記載のカメラにおいて、
前記接触回数が検出される時期を、「撮像時」、「再生時」及び「撮像時と再生時の両方」のいずれかから選択する第３時期選択手段を備え、
前記回数検出手段は、「撮像時」が選択されている場合、被写体を撮像する時のみに前記回数検出手段を有効にし、「再生時」が選択されている場合、撮像した画像を前記画面に再生する時のみに前記回数検出手段を有効にし、「撮像時と再生時の両方」が選択されている場合、撮像時と再生時の両方で前記回数検出手段を有効にし、
前記表示制御手段は、前記回数検出手段の無効時に前記画面に前記フル画像を表示することを特徴とするカメラ。
【請求項１０】
請求項１又は請求項４記載のカメラにおいて、
前記接触検出手段は、前記画面上に区画して配置され、撮影者の手の接触をそれぞれ検出する複数の検出部を備え、
前記表示制御手段は、前記画面上において、撮影者の手の接触を検出した検出部を除く検出部に対応する領域に前記縮小画像を表示することを特徴とするカメラ。
【請求項１１】
請求項１、請求項４及び請求項７のいずれか一項に記載のカメラにおいて、
前記縮小画像の縦横の比は、前記フル画像の縦横の比と等しいことを特徴とするカメラ。
【請求項１２】
請求項１又は請求項４記載のカメラにおいて、
前記接触検出手段は、前記画面上に区画して配置され、撮影者の手の接触をそれぞれ検出する複数の検出部を備え、
前記表示制御手段は、前記手が前記画面上を移動した場合に、手の接触を検出する検出部の変化に合わせて前記縮小画像を再表示することを特徴とするカメラ。
【請求項１３】
請求項１又は請求項４記載のカメラにおいて、
前記縮小画像の表示中に、前記接触検出手段により撮影者の手が前記画面から離れたことが検出された時に、前記縮小画像を前記フル画像に切り替えて前記画面に表示させるか、あるいは、前記縮小画像を前記画面に継続して表示させるかを選択する表示条件選択手段を備え、
前記表示制御手段は、前記表示条件選択手段により選択された条件に応じて、前記画面に前記縮小画像又は前記フル画像を表示することを特徴とするカメラ。
【請求項１４】
請求項１又は請求項４記載のカメラにおいて、
前記接触検出手段に含まれ、前記画面上に区画して配置され、撮影者の手の接触をそれぞれ検出する複数の検出部と、
電源がオンされてからオフされるまでの期間、前記各検出部による検出を受けて、撮影者の手が前記画面上に接触する接触回数を前記検出部毎に検出する回数検出手段と、
前記回数検出手段により検出された接触回数を前記検出部毎に記憶する記憶手段とを備え、
前記表示制御手段は、次の電源オン時、前記画面上において、前記記憶手段に記憶された接触回数が予め設定された第２回数を超える検出部を除く検出部に対応する領域に前記縮小画像を表示することを特徴とするカメラ。
【発明の詳細な説明】
【技術分野】
【０００１】
本発明は、画像表示機能を備えたカメラに関する。
【背景技術】
【０００２】
画像表示機能を備えたカメラは、例えば、ＣＣＤ（Charge Coupled Device）等の撮像素子、被写体像を撮像素子に結像するレンズ、撮像した画像を表示する液晶モニタ、撮像した画像データを蓄積するメモリ及び、被写体を撮影する時に撮影者により押下げられるシャッタスイッチを含む操作部等により構成される。液晶モニタ及び操作部は、例えば、カメラ本体（筐体）の背面部に形成される。
【０００３】
この種のカメラでは、液晶モニタが大きくなる傾向にあり、カメラ本体の背面部に占める液晶モニタの比率が高くなっている。このため、撮影者が、画像の再生時や撮影時にカメラ本体の側部を把持する際に自身の指が液晶モニタに掛かり、液晶モニタに表示された画像の一部を視認できない場合がある。この対策として、液晶モニタに表示される画像を縮小する方法が開示されている（特許文献１参照）。
【特許文献１】特開平１１−２８９４８４号公報
【発明の開示】
【発明が解決しようとする課題】
【０００４】
しかしながら、特許文献１では、撮影者が誤って僅かな時間だけ液晶モニタに指を掛けた場合や、指により覆われる液晶モニタの領域が非常に小さい場合であっても、画像は縮小された状態で表示される。撮影者の意図しない動作により縮小画像に切り替わると、撮影者は、被写体の構図決めやピント合わせに集中できず、不便を感じるという問題があった。
【０００５】
本発明の目的は、液晶モニタに表示される画像が撮影者の意図しない動作により縮小されることなく、撮影者にとって使いやすいカメラを提供することである。
【課題を解決するための手段】
【０００６】
請求項１のカメラでは、画面は、撮像手段により撮像された被写体の画像を表示する。画面上に配置される接触検出手段は、画面に接触する撮影者の手の位置を検出する。時間検出手段は、接触検出手段による検出を受けて画面に手が接触している時間である接触時間を検出する。表示制御手段は、接触時間が所定の時間以下である時、画面全体に画像をフル画像として表示し、接触時間が所定の時間を超える時、画面の内、手が接触している位置を除く位置に、フル画像を縮小した縮小画像を表示する。
【０００７】
請求項４のカメラでは、画面は、撮像手段により撮像された被写体の画像を表示する。画面上に配置される接触検出手段は、画面に接触する撮影者の手の位置を検出する。面積検出手段は、接触検出手段による検出を受けて画面に手が接触している面積である接触面積を検出する。表示制御手段は、接触面積が所定の面積以下である時、画面全体に画像をフル画像として表示し、接触面積が所定の面積を超える時、画面の内、手が接触している位置を除く位置に、フル画像を縮小した縮小画像を表示する。
【０００８】
請求項７のカメラでは、画面は、撮像手段により撮像された被写体の画像を表示する。画面上に配置される接触検出手段は、画面に接触する撮影者の手の位置を検出する。回数検出手段は、接触検出手段による検出を受けて、撮影者の手による画面の接触回数を検出する。表示制御手段は、接触回数が予め設定された第１回数以下である時、画面全体に画像をフル画像として表示し、接触回数が第１回数を超える時、画面の内、手が接触している位置を除く位置に、フル画像を縮小した縮小画像を表示する。
【発明の効果】
【０００９】
請求項１のカメラでは、撮影者が誤って僅かな時間（所定の時間以下）だけ自身の手を画面に接触させた時、フル画像が縮小画像に縮小されることを防止できる。よって、撮影者の意図しない動作によりフル画像が縮小画像に切り替わることはない。このため、撮影者は被写体の撮影等に集中できる。この結果、撮影者にとって使いやすいカメラを提供できる。
【００１０】
請求項４のカメラでは、撮影者が誤って自身の手を画面に接触させた場合にも、手により覆われる画面の面積が非常に小さい（所定の面積以下である）時、フル画像が縮小画像に縮小されることを防止できる。よって、撮影者の意図しない動作によりフル画像が縮小画像に切り替わることはない。このため、撮影者は被写体の撮影等に集中できる。この結果、撮影者にとって使いやすいカメラを提供できる。
【００１１】
請求項７のカメラでは、撮影者が無意識に僅かな回数（第１回数以下）だけ自身の手を画面に接触させた時、フル画像が縮小画像に縮小されることを防止できる。よって、撮影者の意図しない動作によりフル画像が縮小画像に切り替わることはない。このため、撮影者は被写体の撮影等に集中できる。この結果、撮影者にとって使いやすいカメラを提供できる。
【発明を実施するための最良の形態】
【００１２】
以下、本発明の実施形態を図面を用いて説明する。図１は、本発明のカメラの第１の実施形態を示している。カメラ１００（例えば、コンパクトデジタルカメラ）は、液晶モニタ１０（画面）、抵抗膜式タッチパネル１２（接触検出手段）、レンズ系１４、ＣＣＤ１６（撮像手段）、Ａ／Ｄ変換回路１８、ＲＡＭ２０、ＲＯＭ２２（時間記憶手段及び記憶手段）、ＣＰＵ２４（時間検出手段、表示制御手段、第１時期選択手段及び回数検出手段）、Ｉ／Ｆ(Interface)回路２６、操作部２８、記憶メディア３０、スロット３２及びバス３４等を有している。なお、図１では、シャッター機構及びミラー機構等のメカニカルな要素は、図示を省略している。
【００１３】
液晶モニタ１０は、液晶パネル及び液晶パネルの駆動用ドライバ回路（図示せず）等で構成される。液晶モニタ１０には、後述するシャッタスイッチＳＷ４の押し下げ前及び押し下げ後に、ＣＣＤ１６により撮像される画像や設定画面が表示される。液晶モニタ１０は、レンズ系１４により結像される被写体の画像を映すファインダーとしても利用される。  撮影者は、液晶モニタ１０に映し出された被写体の画像を見ることによって、被写体の構図等を判断する。この例では、液晶モニタ１０の表面全体に、撮影者の指等により押圧可能な透明の抵抗膜式タッチパネル１２（詳細は後述）が貼り付けられている。
【００１４】
レンズ系１４は、被写体に焦点を合わせるフォーカスレンズ及び被写体像をズームするためのズームレンズ等を含む複数枚のレンズで構成される。フォーカスレンズ及びズームレンズは、レンズ駆動用ドライバ（図示せず）により光軸方向の位置が調節される。
ＣＣＤ１６は、シャッターを介してレンズ系１４に対向する位置に配置されている。ＣＣＤ１６は、図示しないＣＣＤドライバにより駆動され、レンズ系１４より結像される被写体像を光電変換する。Ａ／Ｄ変換回路１８は、ＣＣＤ１６により撮像された画像をアナログ値からデジタル値にＡ／Ｄ変換する。ＲＡＭ２０は、ＣＣＤ１６により撮像された画像データ等を一時的に格納する。
【００１５】
ＲＯＭ２２は、例えば、電気的にデータの書き換えが可能なＥＥＰＲＯＭやフラッシュメモリ等で構成され、カメラ１００の電源がオフの間もデータを保持する。ＲＯＭ２２は、カメラ１００を動作するためにＣＰＵ２４により実行されるプログラムを格納している。なお、ＲＯＭ２２は、ＣＰＵ２４に搭載される内蔵ＲＯＭ（図示せず）で代用することも可能である。
【００１６】
ＣＰＵ２４は、ＲＯＭ２２に格納されたプログラムを実行することによって、カメラ１００の動作を制御する。例えば、ＣＰＵ２４は、撮影者の指による液晶モニタ１０への接触を抵抗膜式タッチパネル１２によって検出して、指が接触していないブロックＢＬＫ（後述）に縮小画像（後述）を表示する。
Ｉ／Ｆ回路２６は、図示しない端子を介して、カメラ１００をパーソナルコンピュータ（ＰＣ）等の外部機器に接続する。操作部２８は、後述するズームスイッチＳＷ１、主電源スイッチＳＷ２、選択スイッチＳＷ３及びシャッタスイッチＳＷ４を含む各種スイッチ（図示せず）を有している。各種スイッチの操作は、ＣＰＵ２４により認識される。
【００１７】
記憶メディア３０は、例えば、フラッシュメモリ等で構成され、カメラ１００の電源がオフの間もデータを保持する。記憶メディア３０は、スロット３２を介してバス３４に接続される。記憶メディア３０は、メモリーカードであり、Ａ／Ｄ変換回路１８によりＡ／Ｄ変換された画像データ等を格納する。バス３４は、カメラ１００内の各回路を接続する。
図２は、本発明が適用されるカメラ１００のカメラ本体１０２の背面を示している。カメラ本体１０２の背面には、液晶モニタ１０、抵抗膜式タッチパネル１２、被写体像をズームするズームスイッチＳＷ１、カメラ１００の電源をオン又はオフするために左右方向にスライド可能な主電源スイッチＳＷ２、被写体を撮影する「撮影モード」、画像を液晶モニタ１０に再生する「再生モード」、言語設定や日時設定を変更可能な「セットアップモード」等の各種モードや画像等を選択する選択スイッチＳＷ３等が配置されている。
【００１８】
カメラ本体１０２の上側には、被写体を撮影する時に撮影者により押下げられるシャッタスイッチＳＷ４が配置されている。カメラ本体１０２の側面（図の右側）には、記憶メディア３０や電池等を収納する収納部の収納カバー３６が配置されている。
抵抗膜式タッチパネル１２は、例えば、液晶モニタ１０全体に貼り付けられている。抵抗膜式タッチパネル１２は、例えば、微小間隔を開けて形成された一対の抵抗膜（図示せず）で構成される。この例では、抵抗膜式タッチパネル１２は、抵抗膜により縦８個×横１２個の複数のブロックＢＬＫに区画される。
【００１９】
例えば、撮影者が撮影時にカメラ本体１０２の側面を把持し、図のように、撮影者の指が液晶モニタ１０に接触した場合、その接触は抵抗膜式タッチパネル１２により検出される。具体的には、指が接触したブロックＢＬＫ（図に斜線で示す４つのブロック）に対応する抵抗膜間の抵抗値の変化が検出される。
ＣＰＵ２４は、抵抗値の変化を検出することで、液晶モニタ１０に指が接触している時間（接触時間）が、後述するリファレンス時間ＲＴ（例えば、３秒）を超えているか否かを検出する。本発明において、リファレンス時間ＲＴは、接触時間を判定するための時間を指す。この例では、撮影者は、セットアップモード画面で任意のリファレンス時間ＲＴを設定可能である。
【００２０】
ＣＰＵ２４は、接触時間がリファレンス時間ＲＴ（例えば、３秒）以下であることを認識すると、液晶モニタ１０全体に被写体の画像（フル画像）を表示する。この例では、フル画像の縦横比（縦のブロックＢＬＫ数：横のブロックＢＬＫ数）は、２：３である。
一方、ＣＰＵ２４は、接触時間がリファレンス値ＲＴ（例えば、３秒）を超えていることを認識すると、液晶モニタ１０を駆動し、指が接触していないブロックＢＬＫ（例えば、図の太線で囲われた領域）にフル画像を縮小した縮小画像を表示させる。この際、縮小画像の縦横比も２：３に設定される。
【００２１】
図３は、カメラ１００の画像表示の一例を示している。この例では、液晶モニタ１０全体に、人物等の画像が表示されている。図のように、撮影者の指が液晶モニタ１０に接触していない場合、ＣＰＵ２４は、液晶モニタ１０にフル画像（図２）を表示する。
図４は、カメラ１００の画像表示の別の一例を示している。この例では、撮影者の右手の指が液晶モニタ１０の右側に接触する。
【００２２】
ＣＰＵ２４は、接触時間がリファレンス時間ＲＴ（例えば、３秒）を超えたことに応答して、フル画像（図３）を縮小した縮小画像（縦横比は、２：３）を液晶モニタ１０に表示する。縮小画像は、接触時間がリファレンス時間ＲＴ（例えば、３秒）を超えた時のみ、右手の指が接触していない領域に表示される。縮小画像の縦横比は、フル画像の縦横比と等しくなるように保たれる。このため、被写体の構図決めを容易に行うことができる。
【００２３】
図５は、カメラ１００の画像表示の別の一例を示している。この例では、撮影者の左手の指が液晶モニタ１０（図４）の左側に接触する。左手の指が接触している時間がリファレンス時間ＲＴ（例えば、３秒）を超えると、図のように、縮小画像は、両手の指が接触していない領域に再表示される。このように、液晶モニタ１０上の複数箇所に指が接触する場合にも、撮影者は縮小画像を視認し続けることができる。このため、撮影者は縮小画像を視認し続けることができる。この結果、被写体の構図決め等を中断させることなく行うことができる。
【００２４】
図６〜図８は、第１の実施形態における画像表示動作を表している。図６〜図８に示す動作は、ＣＰＵ２４がＲＯＭ２２に格納されたプログラムを実行することによって実現される。
まず、ステップＳ１００において、ＣＰＵ２４は、撮影者により電源オンの要求を受けると、カメラ１００の電源をオンする。この後、処理はステップＳ１０２に移行する。
【００２５】
ステップＳ１０２において、ＣＰＵ２４は、撮影者の指が液晶モニタ１０に接触した回数である接触回数Ｎ１の検出を開始する。この例では、接触回数Ｎ１はブロックＢＬＫ毎にカメラ１００の電源がオフされるまで検出される。この後、処理はステップＳ１０４に移行する。
ステップＳ１０４において、ＣＰＵ２４は、撮影者によりセットアップモード画面の表示要求を受けると、リファレンス時間ＲＴを設定するためのメニュー画面を液晶モニタ１０に表示させる。この後、処理はステップＳ１０６に移行する。
【００２６】
ステップＳ１０６において、ＣＰＵ２４は、撮影者により設定されたリファレンス時間ＲＴをＲＯＭ２２に記憶させる。このように、撮影者の指が液晶モニタ１０に接触してから、フル画像が縮小画像に切り替えられるまでの時間ＲＴは、撮影者の操作により任意の時間に設定可能である。このため、縮小画像に切り替えられるまでの時間を撮影者の好みに合わせて撮影者毎に調整できる。この後、処理はステップＳ１０８に移行する。
【００２７】
ステップＳ１０８において、ＣＰＵ２４は、撮影者によりセットアップモード画面の表示要求を受けると、撮影者の指が液晶モニタ１０に接触する接触時間Ｔ１が検出される時期を「撮影モード選択時」、「再生モード選択時」及び「撮影モード選択時及び再生モード選択時の両方」のいずれかから選択するためのメニュー画面を液晶モニタ１０に表示させる。この後、処理はステップＳ１１０に移行する。
【００２８】
ステップＳ１１０において、ＣＰＵ２４は、撮影者により「撮影モード選択時」が選択されたことを検出すると、例えば、フラグＦＬＧ１に「１０（２進数）」を設定する。一方、「再生モード選択時」が選択されたことを検出すると、例えば、フラグＦＬＧ１に「０１」を設定する。一方、「撮影モード選択時及び再生モード選択時の両方」が選択されたことを検出すると、例えば、フラグＦＬＧ１に「１１」を設定する。よって、ＣＰＵ２４は、「撮影モード選択時」、「再生モード選択時」及び「撮影モード選択時及び再生モード選択時の両方」のいずれかで検出された接触時間Ｔ１がリファレンス時間ＲＴ（例えば、３秒）を超える時、指が接触していないブロックＢＬＫに縮小画像を表示する。一般的に撮影モードでは、撮影者は、手ブレ等を防止するために、カメラ本体１０２をしっかり把持する必要がある。このため、撮影者の指は再生モード選択時より撮影モード選択時の方が液晶モニタ１０に接触しやすい。このため、カメラ１００の使用状況に応じて、フル画像を縮小画像に切り替える時期を選択できる。この結果、撮影者の使い勝手に合わせて、使いやすいカメラを提供できる。この後、処理はステップＳ１１２に移行する。
【００２９】
ステップＳ１１２において、ＣＰＵ２４は、撮影者によりセットアップモード画面の表示要求を受けると、撮影者の指が液晶パネル１０から離れた時、縮小画像を液晶モニタ１０に継続して表示させるか、あるいは、縮小画像をフル画像に切り替えて液晶モニタ１０に表示させるかを選択するためのメニュー画面を液晶モニタ１０に表示させる。この後、処理はステップＳ１１４に移行する。
【００３０】
ステップＳ１１４において、ＣＰＵ２４は、撮影者により「縮小画像を継続して表示」が選択されたことを検出すると、例えば、フラグＦＬＧ２に「０（２進数）」を設定する。一方、「フル画像に切り替えて表示」を選択したことを検出すると、例えば、フラグＦＬＧ２に「１」を設定する。この後、処理はステップＳ１１６に移行する。
ステップＳ１１６において、ＣＰＵ２４は、撮影者により撮影モードの選択要求を受けると、処理は図７のステップＳ１１８に移行する。撮影者により再生モードの選択要求を受けると、処理は図８のステップＳ１５２に移行する。
【００３１】
ステップＳ１１８において、ＣＰＵ２４は、フラグＦＬＧ１の上位ビットが「１」であるか否かを検出する。上位ビットが「１」である時、処理はステップＳ１２０に移行する。上位ビットが「０」である時、処理はステップＳ１２２に移行する。
ステップＳ１２０において、ＣＰＵ２４は、接触時間Ｔ１の検出を開始する。すなわち、液晶モニタ１０に指が接触している時間Ｔ１の検出が可能になる。この後、処理はステップＳ１２２に移行する。
【００３２】
ステップＳ１２２において、ＣＰＵ２４は、例えば、被写体の構図を決めるための画像を液晶モニタ１０に表示させるために、レンズ系１４及びＣＣＤ１６等を駆動して、被写体からの反射光を画素毎に受光し、受光した反射光を光電変換する。この後、処理はステップＳ１２４に移行する。
ステップＳ１２４において、ＣＰＵ２４は、前回カメラ１００が電源オンされてからオフされるまでの間にブロックＢＬＫ毎に検出し、ＲＯＭ２２に格納した接触回数Ｎ１が予め決められたリファレンス回数ＲＮ１（第２回数）を超えるか否か検出する。本発明では、リファレンス回数ＲＮ１は、接触回数Ｎ１をブロックＢＬＫ毎に判定するための回数を指す。リファレンス回数ＲＮ１を超えるブロックＢＬＫがない場合、処理はステップＳ１２６に移行する。リファレンス回数ＲＮ１を超えるブロックＢＬＫがある場合、処理はステップＳ１２８に移行する。
【００３３】
ステップＳ１２６において、ＣＰＵ２４は、Ａ／Ｄ変換された画像データに基づいて、液晶モニタ１０に撮影者の被写体の画像をフル画像として表示させる。この後、処理はステップＳ１３０に移行する。
ステップＳ１２８において、ＣＰＵ２４は、Ａ／Ｄ変換された画像データに基づいて、リファレンス回数ＲＮ１を超えるブロックＢＬＫを除くブロックＢＬＫに撮影者の被写体の画像を縮小画像として表示させる。リファレンス回数ＲＮ１を超えるブロックＢＬＫは、カメラ１００を使用する撮影者の習慣上、撮影者の指により接触される頻度が最も高い領域と判断できる。撮影者は液晶モニタ１０に自身の指を接触させることなく縮小画像を視認できる。この後、処理はステップＳ１３０に移行する。
【００３４】
ステップＳ１３０において、ＣＰＵ２４は、フラグＦＬＧ１の上位ビットが「１」であるか否かを検出する。上位ビットが「１」である時、処理はステップＳ１３２に移行する（接触時間Ｔ１の判定を開始する）。上位ビットが「０」である時、処理はステップＳ１４２に移行する。
ステップＳ１３２において、ＣＰＵ２４は、「接触時間Ｔ１が、リファレンス時間ＲＴ（この例では、３秒）を超えている」ことを検出すると、処理はステップＳ１３４に移行する。リファレンス時間ＲＴを超えていない場合、処理はステップＳ１４２に移行する。
【００３５】
ステップＳ１３４において、ＣＰＵ２４は、液晶モニタ１０を駆動して、図４に示したように、指が接触していないブロックＢＬＫに縮小画像を表示させる。このように、液晶モニタ１０に指が接触している時間がリファレンス時間ＲＴ（この例では、３秒）を超えた時のみ、縮小画像が表示される。したがって、撮影者が誤って僅かな時間（例えば、１秒）だけ自身の指を液晶モニタ１０に接触させた時、フル画像が縮小されることを防止できる。この後、処理はステップＳ１３６に移行する。
【００３６】
ステップＳ１３６において、ＣＰＵ２４は、指が液晶モニタ１０から離れた（抵抗膜の値が指による接触前の値に戻った）ことを検出すると、処理はステップＳ１３８に移行する。一方、指が液晶モニタ１０に接触している場合、処理はステップＳ１３４に移行する（縮小画像が継続して表示される）。
ステップＳ１３８において、ＣＰＵ２４は、フラグＦＬＧ２のビットが「１」であるか否かを検出する。ビットが「０」である時、処理はステップＳ１３４に移行する（縮小画像が継続して表示される）。このため、「撮影モード」選択時、撮影者は自身の指を画面から離した後であっても、被写体の構図決め等で縮小画像を視認し続けることができる。この結果、撮影者の使い勝手に合わせて、使いやすいカメラを提供できる。一方、ビットが「１」である時、処理はステップＳ１４０に移行する。
【００３７】
ステップＳ１４０において、ＣＰＵ２４は、縮小画像をフル画像に切り替えて液晶モニタ１０に表示する。すなわち、液晶モニタ１０全体に被写体の画像が表示される。この後、処理はステップＳ１４２に移行する。
ステップＳ１３０でフラグＦＬＧ１の上位ビットが「０」である場合、または、ステップＳ１３２で接触時間Ｔ１がリファレンス時間ＲＴを超えていない場合、または、ステップＳ１３２で縮小画像がフル画像に切り替えられた後、ステップＳ１４２において、ＣＰＵ２４は、撮影者によってシャッタスイッチＳＷ４が押下げされるのを待つ。シャッタスイッチＳＷ４の押下げが検出されると、処理はステップＳ１４４に移行する。ステップＳ１４２は、シャッタスイッチＳＷ４の押下げが検出されるまで繰り返される。
【００３８】
ステップＳ１４４において、ＣＰＵ２４は、レンズ系１４及びＣＣＤ１６等を駆動して、被写体からの反射光を画素毎に受光し、受光した反射光を光電変換する。この後、処理はステップＳ１４６に移行する。
ステップＳ１４６において、ＣＰＵ２４は、Ａ／Ｄ変換された画像データを記憶メディア３０に格納する。この後、処理はステップＳ１４８に移行する。
【００３９】
ステップＳ１４８において、ＣＰＵ２４は、撮影者により電源オフ要求が出されたか否かを検出する。電源オフ要求が検出されると、処理はステップＳ１５０に移行する。電源オフ要求が検出されないと、処理はステップＳ１２２に移行する（撮影モードが繰り返される）。
ステップＳ１５０において、ＣＰＵ２４は、電源オン後検出した接触回数Ｎ１をブロックＢＬＫ毎にＲＯＭ２２に格納した後、カメラ１００の電源をオフする。
【００４０】
一方、図６のステップＳ１１６で再生モードの選択要求を受けた場合、図８のステップＳ１５２において、ＣＰＵ２４は、フラグＦＬＧ１の下位ビットが「１」であるか否かを検出する。下位ビットが「１」である時、処理はステップＳ１５４に移行する。下位ビットが「０」である時、処理はステップＳ１５６に移行する。
ステップＳ１５４において、ＣＰＵ２４は、接触時間Ｔ１の検出を開始する。すなわち、液晶モニタ１０に指が接触している時間Ｔ１の検出が可能になる。この後、処理はステップＳ１５６に移行する。
【００４１】
ステップＳ１５６において、ＣＰＵ２４は、記憶メディア３０に格納された画像データを読み出す。この後、処理はステップＳ１５８に移行する。
ステップＳ１５８において、ＣＰＵ２４は、前回カメラ１００が電源オンされてからオフされるまでの間にブロックＢＬＫ毎に検出し、ＲＯＭ２２に格納した接触回数Ｎ１が予め決められたリファレンス回数ＲＮ１を超えるか否か検出する。リファレンス回数ＲＮ１を超えるブロックＢＬＫがない場合、処理はステップＳ１６０に移行する。リファレンス回数ＲＮ１を超えるブロックＢＬＫがある場合、処理はステップＳ１６２に移行する。
【００４２】
ステップＳ１６０において、ＣＰＵ２４は、読み出した画像データから被写体の画像を再生し、再生した画像を液晶モニタ１０にフル画像として表示させる。この後、処理はステップＳ１６４に移行する。
ステップＳ１６２において、ＣＰＵ２４は、読み出した画像データから被写体の画像を再生し、液晶モニタ１０を駆動してリファレンス回数ＲＮ１を超えるブロックＢＬＫを除くブロックＢＬＫに、再生した画像を縮小画像として表示する。この後、処理はステップＳ１６４に移行する。
【００４３】
ステップＳ１６４において、ＣＰＵ２４は、フラグＦＬＧ１の下位ビットが「１」であるか否かを検出する。下位ビットが「１」である時、処理はステップＳ１６６に移行する（接触時間Ｔ１の判定を開始する）。下位ビットが「０」である時、処理はステップＳ１７６に移行する。
ステップＳ１６６において、ＣＰＵ２４は、「接触時間Ｔ１が、リファレンス時間ＲＴ（この例では、３秒）を超えている」ことを検出すると、処理はステップＳ１６８に移行する。リファレンス時間ＲＴを超えていない場合、処理はステップＳ１７６に移行する。
【００４４】
ステップＳ１６８において、ＣＰＵ２４は、液晶モニタ１０を駆動して、図４に示したように、指が接触していないブロックＢＬＫに縮小画像を表示させる。この後、処理はステップＳ１７０に移行する。
ステップＳ１７０において、ＣＰＵ２４は、指が液晶モニタ１０から離れた（抵抗膜の値が指による接触前の値に戻った）ことを検出すると、処理はステップＳ１７２に移行する。一方、指が液晶モニタ１０に接触している場合、処理はステップＳ１６８に移行する（縮小画像が継続して表示される）。
【００４５】
ステップＳ１７２において、ＣＰＵ２４は、フラグＦＬＧ２のビットが「１」であるか否かを検出する。ビットが「０」である時、処理はステップＳ１６８に移行する（縮小画像が継続して表示される）。一方、ビットが「１」である時、処理はステップＳ１７４に移行する。
ステップＳ１７４において、ＣＰＵ２４は、縮小画像をフル画像に切り替えて液晶モニタ１０に表示する。すなわち、液晶モニタ１０全体に被写体の画像が表示される。このため、再生された画像を液晶モニタ１０全体で視認して、画像の選択や削除を行うことができる。この後、処理はステップＳ１７６に移行する。
【００４６】
ステップＳ１７６において、ＣＰＵ２４は、撮影者によりコマ送り要求を受けると、処理はステップＳ１７８に移行する。コマ送り要求を受けない場合、処理はステップＳ１６４に移行する。
ステップＳ１７８において、ＣＰＵ２４は、ＲＯＭ２２に格納された次の画像データを読み出す。この後、処理はステップＳ１８０に移行する。
【００４７】
ステップＳ１８０において、ＣＰＵ２４は、撮影者により電源オフ要求が出されたか否かを検出する。電源オフ要求が検出されると、処理はステップＳ１８２に移行する。電源オフ要求が検出されないと、処理はステップＳ１５８に移行する（再生モードが繰り返される）。
ステップＳ１８２において、ＣＰＵ２４は、電源オン後検出した接触回数Ｎ１をブロックＢＬＫ毎にＲＯＭ２２に格納した後、カメラ１００の電源をオフする。
【００４８】
以上、第１の実施形態では、撮影者が誤って僅かな時間（例えば、１秒）だけ自身の指を液晶モニタ１０に接触させた時、フル画像が縮小画像に縮小されることを防止できる。よって、撮影者の意図しない動作によりフル画像が縮小画像に切り替わることはない。このため、撮影者は被写体の撮影等に集中できる。この結果、撮影者にとって使いやすいカメラを提供できる。
【００４９】
図９〜図１１は、第２の実施形態における画像表示動作を表している。第１の実施形態で説明した要素と同一の要素については、詳細な説明を省略する。この実施形態では、図１に示したＣＰＵ２４が実行するためのＲＯＭ２２に格納されているプログラムが、第１の実施形態と相違する。その他の構成は、第１の実施形態のカメラ１００と同じである。
上述した図６〜図８と同じ処理については、詳細な説明を省略する。また、図９〜図１１に示す動作は、ＣＰＵ２４（面積検出手段、表示制御手段及び第２時期選択手段）がＲＯＭ２２（面積記憶手段）に格納されたプログラムを実行することによって実現される。図１１及び図１２は、第１の実施形態（図６〜図８）のステップＳ１０４、Ｓ１０６、Ｓ１０８、Ｓ１２０、Ｓ１３２、Ｓ１５４及びＳ１６６がステップＳ２００、Ｓ２０２、Ｓ２０４、Ｓ２０６、Ｓ２０８、Ｓ２１０及びＳ２１２にそれぞれ置き換えられた点を除いて、図６〜図８と同じである。
【００５０】
まず、ステップＳ１００において、ＣＰＵ２４は、撮影者により電源オンの要求を受けると、カメラ１００の電源をオンする。この後、処理はステップＳ１０２に移行する。
ステップＳ１０２において、ＣＰＵ２４は、撮影者の指が液晶モニタ１０に接触した回数である接触回数Ｎ１の検出を開始する。この例では、接触回数Ｎ１はブロックＢＬＫ毎にカメラ１００の電源がオフされるまで検出される。この後、処理はステップＳ２００に移行する。
【００５１】
ステップＳ２００において、ＣＰＵ２４は、撮影者によりセットアップモード画面の表示要求を受けると、リファレンス面積ＲＡを設定するためのメニュー画面を液晶モニタ１０に表示する。本発明において、リファレンス面積ＲＡは、撮影者の指が液晶モニタ１０に接触する面積Ａ１（この例では、指により接触されるブロックＢＬＫの面積）を判定するための数を指す。この後、処理はステップＳ２０２に移行する。
【００５２】
ステップＳ２０２において、ＣＰＵ２４は、撮影者により設定されたリファレンス面積ＲＡをＲＯＭ２２に記憶させる。リファレンス面積ＲＡは、例えば、撮影者が液晶モニタ１０に接触させるブロックＢＬＫの面積に合わせて任意に設定可能である。このため、リファレンス面積ＲＡを撮影者の個性に合わせて調整できる。この後、処理はステップＳ２０４に移行する。
【００５３】
ステップＳ２０４において、ＣＰＵ２４は、撮影者によりセットアップモード画面の表示要求を受けると、接触面積Ａ１が検出される時期を「撮影モード選択時」、「再生モード選択時」及び「撮影モード選択時及び再生モード選択時の両方」のいずれかから選択するためのメニュー画面を液晶モニタ１０に表示させる。この後、処理はステップＳ１１０に移行する。
【００５４】
ステップＳ１１０において、ＣＰＵ２４は、撮影者により「撮影モード選択時」が選択されたことを検出すると、例えば、フラグＦＬＧ１に「１０（２進数）」を設定する。一方、「再生モード選択時」が選択されたことを検出すると、例えば、フラグＦＬＧ１に「０１」を設定する。一方、「撮影モード選択時及び再生モード選択時の両方」が選択されたことを検出すると、例えば、フラグＦＬＧ１に「１１」を設定する。よって、ＣＰＵ２４は、「撮影モード選択時」、「再生モード選択時」及び「撮影モード選択時及び再生モード選択時の両方」のいずれかで検出された接触面積Ａ１がリファレンス面積ＲＡ（例えば、ブロックＢＬＫ３個分の面積）を超える時、指が接触していないブロックＢＬＫに縮小画像を表示する。上述したように撮影モードでは、撮影者は、カメラ本体１０２をしっかり把持する必要がある。このため、撮影者の指は再生モード選択時より撮影モード選択時の方が液晶モニタ１０に接触しやすい。このため、カメラ１００の使用状況に応じて、フル画像を縮小画像に切り替える時期を選択できる。この結果、撮影者の使い勝手に合わせて、使いやすいカメラを提供できる。この後、処理はステップＳ１１２及びステップＳ１１４が実行され、ＦＬＧ２が設定された後、処理はステップＳ１１６に移行する。
【００５５】
ステップＳ１１６において、ＣＰＵ２４は、撮影者により撮影モードの選択要求を受けると、処理は図１０のステップＳ１１８に移行する。撮影者により再生モードの選択要求を受けると、処理は図１１のステップＳ１５２に移行する。
ステップＳ１１８において、ＣＰＵ２４は、フラグＦＬＧ１の上位ビットが「１」であるか否かを検出する。上位ビットが「１」である時、処理はステップＳ２０６に移行する。上位ビットが「０」である時、処理はステップＳ１２２に移行する。
【００５６】
ステップＳ２０６において、ＣＰＵ２４は、接触面積Ａ１の検出を開始する。すなわち、撮影者の指が液晶モニタ１０に接触する面積Ａ１の検出が可能となる。この後、処理はステップＳ１２２に移行する。
ステップＳ１２２において、ＣＰＵ２４は、例えば、被写体の構図を決めるための画像を液晶モニタ１０に表示させるために、レンズ系１４及びＣＣＤ１６等を駆動して、被写体からの反射光を画素毎に受光し、受光した反射光を光電変換する。この後、ステップＳ１２４〜Ｓ１２８が実行され、液晶モニタ１０に縮小画像及びフル画像のいずれかが表示された後、処理はステップＳ１３０に移行する。
【００５７】
ステップＳ１３０において、ＣＰＵ２４は、フラグＦＬＧ１の上位ビットが「１」であるか否かを検出する。上位ビットが「１」である時、処理はステップＳ２０８に移行する（接触面積Ａ１の判定を開始する）。上位ビットが「０」である時、処理はステップＳ１４２に移行する。
ステップＳ２０８において、ＣＰＵ２４は、「接触面積Ａ１が、リファレンス面積ＲＡ（この例では、ブロックＢＬＫ３個分の面積）を超えている」ことを検出すると、処理はステップＳ１３４に移行する。リファレンス面積ＲＡを超えていない場合、処理はステップＳ１４２に移行する。
【００５８】
ステップ１３４において、ＣＰＵ２４は、液晶モニタ１０を駆動して、図４に示したように、指が接触していないブロックＢＬＫに縮小画像を表示させる。このように、液晶モニタ１０に指が接触している面積Ａ１がリファレンス面積ＲＡ（この例では、ブロックＢＬＫ３個分の面積）を超えた時のみ、縮小画像が表示される。このため、撮影者が誤って自身の指を液晶モニタ１０に接触させた場合、指により接触された面積が小さい（例えば、ブロック１個分の面積）と、フル画像が縮小画像に縮小されることを防止できる。よって、撮影者の意図しない動作によりフル画像が縮小画像に切り替わることはない。このため、撮影者は被写体の撮影等に集中できる。この結果、撮影者にとって使いやすいカメラを提供できる。この後、ステップＳ１３６〜Ｓ１４０が実行され、縮小画像がフル画像に切り替えられた後、処理はステップＳ１４２に移行する。
【００５９】
ステップＳ１３０でフラグＦＬＧ１の上位ビットが「０」である場合、または、ステップＳ２０８で接触面積Ａ１がリファレンス面積ＲＡを超えていない場合、または、ステップＳ１３２で縮小画像がフル画像に切り替えられた後、ステップＳ１４２において、ＣＰＵ２４は、撮影者によってシャッタスイッチＳＷ４が押下げされるのを待つ。シャッタスイッチＳＷ４の押下げが検出されると、処理はステップＳ１４４に移行する。ステップＳ１４２は、シャッタスイッチＳＷ４の押下げが検出されるまで繰り返される。
【００６０】
この後、ステップＳ１４４〜Ｓ１５０が実行され、ステップＳ１５０において、ＣＰＵ２４は、検出した接触回数Ｎ１をブロックＢＬＫ毎にＲＯＭ２２に格納した後、カメラ１００の電源をオフする。
一方、図９のステップＳ１１６で再生モードの選択要求を受けた場合、図１１のステップＳ１５２において、ＣＰＵ２４は、フラグＦＬＧ１の下位ビットが「１」であるか否かを検出する。下位ビットが「１」である時、処理はステップＳ２１０に移行する。下位ビットが「０」である時、処理はステップＳ１５６に移行する。
【００６１】
ステップＳ２１０において、ＣＰＵ２４は、接触面積Ａ１の検出を開始する。すなわち、液晶モニタ１０に指が接触している面積Ａ１の検出が可能になる。この後、処理はステップＳ１５６に移行する。
ステップＳ１５６において、ＣＰＵ２４は、記憶メディア３０に格納された画像データを読み出す。この後、ステップＳ１５８〜Ｓ１６２が実行され、液晶モニタ１０に縮小画像及びフル画像のいずれかが表示された後、処理はステップＳ１６４に移行する。
【００６２】
ステップＳ１６４において、ＣＰＵ２４は、フラグＦＬＧ１の下位ビットが「１」であるか否かを検出する。下位ビットが「１」である時、処理はステップＳ２１２に移行する。下位ビットが「０」である時、処理はステップＳ１７６に移行する。
ステップＳ２１２において、ＣＰＵ２４は、「接触面積Ａ１が、リファレンス面積ＲＡ（この例では、ブロックＢＬＫ３個分の面積）を超えている」ことを検出すると、ステップＳ１６８〜Ｓ１７４が実行され、縮小画像がフル画像に切り替えられた後、処理はステップＳ１７６に移行する。一方、リファレンス面積ＲＡを超えていない場合、処理はステップＳ１７６に移行する。
【００６３】
この後、ステップＳ１７６〜Ｓ１８０が実行され、ステップＳ１８２において、ＣＰＵ２４は、検出した接触回数Ｎ１をブロックＢＬＫ毎にＲＯＭ２２に格納した後、カメラ１００の電源をオフする。
以上、第２の実施形態では、第１の実施形態と同様な効果を得ることができる。更に、リファレンス面積ＲＡは、撮影者が液晶モニタ１０に接触させるブロックＢＬＫの面積に合わせて任意に設定可能である。このため、リファレンス面積ＲＡを撮影者の個性に合わせて調整できる。
【００６４】
図１２〜図１４は、第３の実施形態における画像表示動作を表している。第１の実施形態で説明した要素と同一の要素については、詳細な説明を省略する。この実施形態では、図１に示したＣＰＵ２４が実行するためのＲＯＭ２２に格納されているプログラムが、第１の実施形態と相違する。その他の構成は、第１の実施形態のカメラ１００と同じである。また、図１２〜図１４に示す動作は、ＣＰＵ２４（回数検出手段、表示制御手段及び第３時期選択手段）がＲＯＭ２２（回数記憶手段）に格納されたプログラムを実行することによって実現される。
【００６５】
図１２〜図１４は、第１の実施形態（図６〜図８）からステップＳ１０２、Ｓ１１２、Ｓ１１４、Ｓ１２４、Ｓ１２８、Ｓ１３６、Ｓ１３８、Ｓ１４０、Ｓ１５８、Ｓ１６２、Ｓ１７０、Ｓ１７２及びＳ１７４が除かれ、ステップＳ１０４、Ｓ１０６、Ｓ１０８、Ｓ１２０、Ｓ１３２、Ｓ１５０、Ｓ１５４、Ｓ１６６及びＳ１８２がステップＳ３００、Ｓ３０２、Ｓ３０４、Ｓ３０６、Ｓ３０８、Ｓ３１０、Ｓ３１２、Ｓ３１４及びＳ３１６にそれぞれ置き換えられた点を除いて、図６〜図８と同じである。
【００６６】
まず、ステップＳ１００において、ＣＰＵ２４は、撮影者により電源オンの要求を受けると、カメラ１００の電源をオンする。この後、処理はステップＳ３００に移行する。
ステップＳ３００において、ＣＰＵ２４は、撮影者によりセットアップモード画面の表示要求を受けると、リファレンス回数ＲＮ２（第１回数）を設定するためのメニュー画面を液晶モニタ１０に表示する。本発明において、リファレンス回数ＲＮ２は、撮影者の指が液晶モニタ１０に接触する回数Ｎ２（以下、接触回数）を判定するための回数を指す。この後、処理はステップＳ３０２に移行する。
【００６７】
ステップＳ３０２において、ＣＰＵ２４は、撮影者により設定されたリファレンス回数ＲＮ２をＲＯＭ２２に記憶させる。リファレンス回数ＲＮ２は、撮影者が無意識に自身の指を液晶モニタ１０に置く回数Ｎ２に合わせて任意に設定可能である。このため、リファレンス回数ＲＮ２を撮影者の個性に合わせて撮影者毎に調整できる。この後、処理はステップＳ３０４に移行する。
【００６８】
ステップＳ３０４において、ＣＰＵ２４は、撮影者によりセットアップモード画面の表示要求を受けると、接触回数Ｎ２が検出される時期を「撮影モード選択時」、「再生モード選択時」及び「撮影モード選択時及び再生モード選択時の両方」のいずれかから選択するためのメニュー画面を液晶モニタ１０に表示させる。この後、処理はステップＳ１１０に移行する。
【００６９】
ステップＳ１１０において、ＣＰＵ２４は、撮影者により「撮影モード選択時」が選択されたことを検出すると、例えば、フラグＦＬＧ１に「１０（２進数）」を設定する。一方、「再生モード選択時」が選択されたことを検出すると、例えば、フラグＦＬＧ１に「０１」を設定する。一方、「撮影モード選択時及び再生モード選択時の両方」が選択されたことを検出すると、例えば、フラグＦＬＧ１に「１１」を設定する。よって、ＣＰＵ２４は、「撮影モード選択時」、「再生モード選択時」及び「撮影モード選択時及び再生モード選択時の両方」のいずれかで検出された接触回数Ｎ２がリファレンス回数ＲＮ２（例えば、２回）を超える時、指が接触していないブロックＢＬＫに縮小画像を表示する。上述したように撮影モードでは、撮影者は、カメラ本体１０２をしっかり把持する必要がある。このため、撮影者の指は再生モード選択時より撮影モード選択時の方が液晶モニタ１０に無意識に接触しやすい。このため、カメラ１００の使用状況に応じて、フル画像を縮小画像に切り替える時期を選択できる。この結果、撮影者の使い勝手に合わせて、使いやすいカメラを提供できる。この後、処理はステップＳ１１６に移行する。
【００７０】
ステップＳ１１６において、ＣＰＵ２４は、撮影者により撮影モードの選択要求を受けると、処理は図１３のステップＳ１１８に移行する。撮影者により再生モードの選択要求を受けると、処理は図１４のステップＳ１５２に移行する。
ステップＳ１１８において、ＣＰＵ２４は、フラグＦＬＧ１の上位ビットが「１」であるか否かを検出する。上位ビットが「１」である時、処理はステップＳ３０６に移行する。上位ビットが「０」である時、処理はステップＳ１２２に移行する。
【００７１】
ステップＳ３０６において、ＣＰＵ２４は、接触回数Ｎ２の検出を開始する。すなわち、撮影者の指が液晶モニタ１０に接触する回数Ｎ２の検出が可能となる。この後、処理はステップＳ１２２に移行する。
その後、ステップＳ１２２及びＳ１２６が実行され、液晶モニタ１０にフル画像が表示された後、ステップＳ１３０において、ＣＰＵ２４は、フラグＦＬＧ１の上位ビットが「１」であるか否かを検出する。上位ビットが「１」である時、処理はステップＳ３０８に移行する（接触回数Ｎ２の判定を開始する）。上位ビットが「０」である時、処理はステップＳ１４２に移行する。
【００７２】
ステップＳ３０８において、ＣＰＵ２４は、「接触回数Ｎ２が、ＲＯＭ２２に記憶させたリファレンス回数ＲＮ２（この例では、２回）を超えている」ことを検出すると、処理はステップＳ１３４に移行する。リファレンス回数ＲＮ２を超えていない場合、処理はステップＳ１４２に移行する。
ステップＳ１３４において、ＣＰＵ２４は、液晶モニタ１０を駆動して、指が接触していないブロックＢＬＫに縮小画像を表示させる。このように、液晶モニタ１０に指が接触する回数Ｎ２がリファレンス回数ＲＮ２（この例では、２回）を超えた時のみ、縮小画像が表示される。このため、撮影者が無意識に僅かな回数（例えば、１回）だけ自身の指を液晶モニタ１０に接触させた場合、フル画像が縮小画像に縮小されることを防止できる。よって、撮影者の意図しない動作によりフル画像が縮小画像に切り替わることはない。この後、処理はステップＳ１４２に移行する。
【００７３】
この後、ステップＳ１４２〜Ｓ１４８が実行され、撮影者により電源オフ要求が検出されると、ステップＳ３１０において、ＣＰＵ２４は、カメラ１００の電源をオフする。電源オフ要求が検出されない場合、処理はステップＳ１２２に移行する（撮影モードが繰り返される）。
一方、図１２のステップＳ１１６で再生モードの選択要求を受けた場合、図１４のステップＳ１５２において、ＣＰＵ２４は、フラグＦＬＧ１の下位ビットが「１」であるか否かを検出する。下位ビットが「１」である時、処理はステップＳ３１２に移行する。下位ビットが「０」である時、処理はステップＳ１５６に移行する。
【００７４】
ステップＳ３１２において、ＣＰＵ２４は、接触回数Ｎ２の検出を開始する。すなわち、液晶モニタ１０に指が接触している回数Ｎ２の検出が可能になる。この後、処理はステップＳ１５６に移行する。
ステップＳ１５６において、ＣＰＵ２４は、記憶メディア３０に格納された画像データを読み出す。この後、ステップＳ１６０が実行され、液晶モニタ１０にフル画像が表示された後、処理はステップＳ１６４に移行する。
【００７５】
ステップＳ１６４において、ＣＰＵ２４は、フラグＦＬＧ１の下位ビットが「１」であるか否かを検出する。下位ビットが「１」である時、処理はステップＳ３１４に移行する。下位ビットが「０」である時、処理はステップＳ１７６に移行する。
ステップＳ３１４において、ＣＰＵ２４は、「接触回数Ｎ２が、リファレンス回数ＲＮ２（この例では、２回）を超えている」ことを検出すると、処理はステップＳ１６８に移行する。リファレンス回数ＲＮ２を超えていない場合、処理はステップＳ１７６に移行する。
【００７６】
ステップＳ１６８において、ＣＰＵ２４は、液晶モニタ１０を駆動して、指が接触していないブロックＢＬＫに縮小画像を表示させる。この後、処理はステップＳ１７６に移行する。
この後、ステップＳ１７６〜Ｓ１８０が実行され、撮影者により電源オフ要求が検出されると、ステップＳ３１６において、ＣＰＵ２４は、カメラ１００の電源をオフする。電源オフ要求が検出されない場合、処理はステップＳ１６０に移行する（再生モードが繰り返される）。
【００７７】
以上、第３の実施形態では、第１の実施形態と同様な効果を得ることができる。更に、撮影者が無意識に液晶パネル１０に自身の指を置く回数に合わせて、リファレンス回数ＲＮ２を設定可能である。このため、リファレンス回数ＲＮ２を、撮影者の個性に合わせて撮影者毎に調整できる。
なお、上述したカメラの第１〜３の実施形態では、抵抗膜式タッチパネル１２を用いて指による液晶パネル１０への接触を検出する例について述べた。本発明は、かかる実施形態に限定されるものではない。例えば、一対の電極間に形成される静電容量の変化を検出する静電容量式タッチパネルを用いて指による液晶パネル１０への接触を検出するものでもよい。
【００７８】
上述したカメラの第１〜３の実施形態では、本発明を、液晶モニタを有するデジタルカメラに適用する例について述べた。本発明は、かかる実施形態に限定されるものではない。液晶モニタを有する携帯電話に適用されるものでもよい。
上述したカメラの第１〜３の実施形態では、リファレンス時間ＲＴ、リファレンス面積ＲＡ、リファレンス回数ＲＮ２が撮影者の操作により設定される例について述べた。本発明は、かかる実施形態に限定されるものではない。リファレンス時間ＲＴ、リファレンス面積ＲＡ、リファレンス回数ＲＮ２は予め決められた値（デフォルト値）に設定されるものでもよい。
【００７９】
上述したカメラの第１及び第２の実施形態では、指が液晶モニタ１０から離れた時、縮小画像を液晶モニタ１０に継続して表示させるか、あるいは、縮小画像をフル画像に切り替えて液晶モニタ１０に表示させるかを選択する例について述べた。本発明は、かかる実施形態に限定されるものではない。シャッタスイッチＳＷ４の押下後、縮小画像を液晶モニタ１０に継続して表示させるか、あるいは、縮小画像をフル画像に切り替えて液晶モニタ１０に表示させるかを選択するものでもよい。
【００８０】
以上、本発明について詳細に説明してきたが、上記の実施形態及びその変形例は発明の一例に過ぎず、本発明はこれに限定されるものではない。本発明を逸脱しない範囲で変形可能であることは明らかである。
【産業上の利用可能性】
【００８１】
本発明は、画像表示機能を備えたカメラに適用される。
【図面の簡単な説明】
【００８２】
【図１】本発明のカメラの第１の実施形態を示すブロック図である。
【図２】本発明が適用されるカメラのカメラ本体の背面を示すブロック図である。
【図３】カメラの画像表示の一例を示す図である。
【図４】カメラの画像表示の別の一例を示す図である。
【図５】カメラの画像表示の別の一例を示す図である。
【図６】本発明のカメラの第１の実施形態における画像表示動作を示すフローチャートである。
【図７】本発明のカメラの第１の実施形態における画像表示動作を示すフローチャートである。
【図８】本発明のカメラの第１の実施形態における画像表示動作を示すフローチャートである。
【図９】本発明のカメラの第２の実施形態における画像表示動作を示すフローチャートである。
【図１０】本発明のカメラの第２の実施形態における画像表示動作を示すフローチャートである。
【図１１】本発明のカメラの第２の実施形態における画像表示動作を示すフローチャートである。
【図１２】本発明のカメラの第３の実施形態における画像表示動作を示すフローチャートである。
【図１３】本発明のカメラの第３の実施形態における画像表示動作を示すフローチャートである。
【図１４】本発明のカメラの第３の実施形態における画像表示動作を示すフローチャートである。
【符号の説明】
【００８３】
１０  液晶モニタ、１２  抵抗膜式タッチパネル、１４  レンズ系、１６  ＣＣＤ、１８  Ａ／Ｄ変換器、２０  ＲＡＭ、２２  ＲＯＭ、２４  ＣＰＵ、２６  Ｉ／Ｆ回路、２８  操作部、３０  記憶メディア、３２  スロット、３４  バス、３６  収納カバー、１００  カメラ、１０２  カメラ本体
【図１】
2006311209.tif 000003
【図２】
2006311209.tif 000004
【図３】
2006311209.tif 000005
【図４】
2006311209.tif 000006
【図５】
2006311209.tif 000007
【図６】
2006311209.tif 000008
【図７】
2006311209.tif 000009
【図８】
2006311209.tif 000010
【図９】
2006311209.tif 000011
【図１０】
2006311209.tif 000012
【図１１】
2006311209.tif 000013
【図１２】
2006311209.tif 000014
【図１３】
2006311209.tif 000015
【図１４】
2006311209.tif 000016